(57)【要約】【課題】照明機能と、タイマー機能と、輝度制御機能と、カラー変化機能とを結合させたＬＥＤ電球を提供する。【解決手段】ＬＥＤ電球であり、口金１と、カバー２と、電子制御板３と、ＬＥＤ４と、グローブ５とによって構成されており、口金１と、カバー２と、グローブとによって構成される収容空間内に電子制御板３とＬＥＤ４が収容されており、且つお互いが導線によって接続されている。電子制御板３は交流電源を直流電源に変換することができ、ＬＥＤ４に電源を供給し、且つ前記電子制御板３は照明機能、定時機能、輝度制御機能、カラー変化機能を有しており、電子制御板３に電源スイッチが加わって電源入力制御と機能設定と切り替えが行われる。【選択図】  図１  
0003108846.tif 000002
【実用新案登録請求の範囲】
【請求項１】
口金と、カバーと、ＬＥＤと、電子制御板と、グローブとからなるＬＥＤ電球において、
前記口金がカバーと接続され、さらに前記カバーがグローブと接続されることによって構成される収容空間内に前記電子制御板と前記ＬＥＤが収容されており、且つお互いが導線によって接続されており、
前記電子制御板は、電源回路と、制御回路と、ＬＥＤ回路とからなり、交流電源が電源回路に入力された時、前記電源回路は交流電源を直流電源に変換し、それを前記制御回路とＬＥＤ回路に提供し、
前記制御回路は、ＬＥＤ回路を制御し、ＬＥＤ回路はＬＥＤを駆動させ、
前記制御回路は、電源スイッチによって信号の入力が行われ、制御回路の判断によって制御回路の機能を変更し、ＬＥＤを制御することを特徴とするＬＥＤ電球。
【請求項２】
前記電源スイッチの一端は、電源と接続されており、もう一端はＬＥＤ電球と接続されており、ＬＥＤ電球の電源入力と機能の設定と切り替えを制御することを特徴とする請求項１記載のＬＥＤ電球。
【請求項３】
前記電源スイッチは、電源入力の制御に使用されることを特徴とする請求項１記載のＬＥＤ電球。
【請求項４】
前記電源スイッチは、機能の設定と切り替えに使用されることを特徴とする請求項１記載のＬＥＤ電球。
【請求項５】
前記口金は、一般の電球用のソケットに固定することができることを特徴とする請求項１記載のＬＥＤ電球。
【請求項６】
前記ＬＥＤは、一つであることを特徴とする請求項１記載のＬＥＤ電球。
【請求項７】
前記ＬＥＤは、複数のＬＥＤの組合せによって構成されていることを特徴とする請求項１記載のＬＥＤ電球。
【請求項８】
前記制御回路は、タイマー回路であることを特徴とする請求項１記載のＬＥＤ電球。
【請求項９】
前記制御回路は、輝度制御回路であることを特徴とする請求項１記載のＬＥＤ電球。
【請求項１０】
前記制御回路は、カラー制御回路であることを特徴とする請求項１記載のＬＥＤ電球。
【請求項１１】
前記制御回路は、タイマー制御回路と、輝度制御回路と、カラー制御回路とからなることを特徴とする請求項１記載のＬＥＤ電球。
【請求項１２】
前記グローブは、球形であることを特徴とする請求項１記載のＬＥＤ電球。
【請求項１３】
前記グローブは、螺旋形であることを特徴とする請求項１記載のＬＥＤ電球。
【請求項１４】
前記グローブは、三つのＵ字形であることを特徴とする請求項１記載のＬＥＤ電球。
【請求項１５】
前記口金とカバーは、接着剤で粘着させる方式によって接続されていることを特徴とする請求項１記載のＬＥＤ電球。
【考案の詳細な説明】
【技術分野】
【０００１】
本考案は電球の構造に係り、特にＬＥＤ電球の構造に関わる。
【背景技術】
【０００２】
公知構造の電球は単純な照明器具であり、スイッチによって開閉の制御が行われるが、変化性に乏しく、仮にタイマー機能、輝度制御等の他の機能が欲しい場合は余分に回路や特定の制御装置を特定の位置に施工、設置する必要があり、非常に不便であり、全体の美観性にも影響を与える。
【０００３】
多くの変化、多くの機能が求められる現代社会において、公知構造の電球は現代人の雰囲気を重視する感覚性を満足させることができず、環境保護が重視される現代において、省エネができる電器設備は必要とされるものである。
【考案の開示】
【考案が解決しようとする課題】
【０００４】
前記公知構造の欠点を解決するために、本考案の目的は、照明機能と、タイマー機能と、輝度制御機能と、カラー変化機能とを結合させたＬＥＤ電球を提供することである。
【課題を解決するための手段】
【０００５】
前記課題を解決するために、
請求項１の考案は、口金と、カバーと、ＬＥＤと、電子制御板と、グローブとからなるＬＥＤ電球において、
前記口金がカバーと接続され、さらに前記カバーがグローブと接続されることによって構成される収容空間内に前記電子制御板と前記ＬＥＤが収容されており、且つお互いが導線によって接続されており、
前記電子制御板は、電源回路と、制御回路と、ＬＥＤ回路とからなり、交流電源が電源回路に入力された時、前記電源回路は交流電源を直流電源に変換し、それを前記制御回路とＬＥＤ回路に提供し、
前記制御回路は、ＬＥＤ回路を制御し、ＬＥＤ回路はＬＥＤを駆動させ、
前記制御回路は、電源スイッチによって信号の入力が行われ、制御回路の判断によって制御回路の機能を変更し、ＬＥＤを制御することを特徴とするＬＥＤ電球である。
【０００６】
請求項２の考案は、前記電源スイッチの一端は、電源と接続されており、もう一端はＬＥＤ電球と接続されており、ＬＥＤ電球の電源入力と機能の設定と切り替えを制御することを特徴とする請求項１記載のＬＥＤ電球である。
【０００７】
請求項３の考案は、前記電源スイッチは、電源入力の制御に使用されることを特徴とする請求項１記載のＬＥＤ電球である。
【０００８】
請求項４の考案は、前記電源スイッチは、機能の設定と切り替えに使用されることを特徴とする請求項１記載のＬＥＤ電球である。
【０００９】
請求項５の考案は、前記口金は、一般の電球用のソケットに固定することができることを特徴とする請求項１記載のＬＥＤ電球である。
【００１０】
請求項６の考案は、前記ＬＥＤは、一つであることを特徴とする請求項１記載のＬＥＤ電球である。
【００１１】
請求項７の考案は、前記ＬＥＤは、複数のＬＥＤの組合せによって構成されていることを特徴とする請求項１記載のＬＥＤ電球である。
【００１２】
請求項８の考案は、前記制御回路は、タイマー回路であることを特徴とする請求項１記載のＬＥＤ電球である。
【００１３】
請求項９の考案は、前記制御回路は、輝度制御回路であることを特徴とする請求項１記載のＬＥＤ電球である。
【００１４】
請求項１０の考案は、前記制御回路は、カラー制御回路であることを特徴とする請求項１記載のＬＥＤ電球である。
【００１５】
請求項１１の考案は、前記制御回路は、タイマー制御回路と、輝度制御回路と、カラー制御回路とからなることを特徴とする請求項１記載のＬＥＤ電球である。
【００１６】
請求項１２の考案は、前記グローブは、球形であることを特徴とする請求項１記載のＬＥＤ電球である。
【００１７】
請求項１３の考案は、前記グローブは、螺旋形であることを特徴とする請求項１記載のＬＥＤ電球である。
【００１８】
請求項１４の考案は、前記グローブは、三つのＵ字形であることを特徴とする請求項１記載のＬＥＤ電球である。
【００１９】
請求項１５の考案は、前記口金とカバーは、接着剤で粘着させる方式によって接続されていることを特徴とする請求項１記載のＬＥＤ電球である。
【考案の効果】
【００２０】
１．  本考案は照明機能と舞台照明のように色が変化し、きらめく効果を有しており、全体の形状は一般の電球の形状と同様であり、直接もともとあるソケットに接続することができ、余分に部材等を施工する必要はなく、適用性は非常に広く、旧式の建築物であっても、最新のビルであっても使用可能である。
【００２１】
２．  設置の仕方が一般の電球と同じなので、設置や交換が非常に簡単である。
【００２２】
３．  ＬＥＤの外形、発光の色の種類は多く、故に本考案の照明の色も異なる需要に合せて設計することができ、更に、ＬＥＤの輝度は益々高められており、節電ができ、軽量で、寿命が長く、体積を大幅に縮小することができ、本考案の電子制御板と合わさることによって電球は異なる色を表示したり、きらめく光を表示したりでき、単一の赤色、単一の青色、単一の緑色、或いは混合した色等を表示できる。
【００２３】
４．  本考案は多機能の効果切り替え機能と設定機能を有しており、余分に制御装置を設置する必要がなく、ソケットと接続されている電源スイッチを利用するだけでよく、前記電源スイッチが仮に一般の住居において使用されている場合、その電源スイッチとは壁に設置されている電源スイッチのことであり、使用上非常に便利である。
【考案を実施するための最良の形態】
【００２４】
ＬＥＤ電球であり、口金１と、カバー２と、電子制御板３と、ＬＥＤ４と、グローブ５とによって構成されており、口金１と、カバー２と、グローブ５とによって構成される収容空間内に電子制御板３とＬＥＤ４が収容されており、且つお互いが導線によって接続されている。
【００２５】
図１は本考案の分解図であり、口金１の外周にはねじ部１２が形成されており、且つ頂部には電極１１が設けられており、ねじ部１２と電極１１との間は絶縁材料によって隔てられており、それにより二つの接点が形成されており、一般の電球の口金と同様であり、故に公知構造のソケット７に直接使用することができ、設置や交換が容易にでき、余分に部材等を施工する必要を無くすためにこの形状の口金が採用されている。
【００２６】
カバー２は環状の中空体であり、上下にそれぞれ孔を有しており、上方孔２１は口金１の外周に対応しており、緊合させる方式、或いは接着剤によって粘着させる方式、或いは半田接合させる方式等によって接続されており、下方孔２２はグローブ５と接続されている。
【００２７】
グローブ５はＬＥＤ４とその内部の回路を保護しており、且つＬＥＤ４から放出される光のむらを解消しており、グローブ５が提供する収容空間にはＬＥＤ４や電子制御板３等の部材が収容されるので、グローブ５は中空体になっており、一つの開口部５１を有しており、開口部５１はカバー２の下方孔２２に対応しており、グローブ５の外形は図４、５、６に示すように、球形、螺旋形、三つのＵ字形にすることができ、本実施例においてはカバー２とグローブ５は螺着方式によって接続されているが、他にも掛止溝を用いた方式等によって接続することができる。
【００２８】
電子制御板３は幾つかの回路によって構成されており、その回路は
１  電源回路３１  
口金１に接続されている住宅用電気は導線を通じて電源回路３１と接続されており、この電源回路３１が交流電源を直流電源に変換し、制御回路３２、ＬＥＤ回路３３、ＬＥＤ４に必要とする電源を供給する。
【００２９】
２  制御回路３２  
制御ＩＣと、オシレータと、電子素子とによって構成されており、制御回路３２は電源スイッチの変化信号を探知することによってＬＥＤ４の制御をし、タイマー発光、変色発光、ＬＥＤのきらめき、輝度の制御を行う。
３  ＬＥＤ回路３３
このＬＥＤ回路３３はＬＥＤ４と接続されており、ＬＥＤ４を駆動する。
【００３０】
ＬＥＤ４は一つ、或いは複数のＬＥＤによって構成されており、現在のＬＥＤでは一つの場合、照明用としては輝度が不足するので、故に複数のＬＥＤを使用することによってその輝度を増加させ、一般の照明用として使用できるようにし、この先、一つのＬＥＤの輝度が前述の複数のＬＥＤの輝度に達した時は一つのＬＥＤにすることができ、現在ＬＥＤの発光種類は多種多様であるので、本考案は需要の違いに応じて異なる発光色にすることができ、異なる色のＬＥＤを前記ＬＥＤ４と組合せることによって、更に多種多様の色の選択をすることができる。
【００３１】
図１は本考案の分解図、図７は本考案の使用配線図であり、交流電源は一端が電源スイッチ６に接続されており、電源スイッチ６はソケット７の一端に接続されており、交流電源のもう一端は直接ソケット７のもう一端に接続されており、本考案のＬＥＤ電球の口金１はソケット７の中に固定され、口金１はカバー２に接続されており、カバー２はグローブ５に接続されており、それによって収容空間が構成されており、その収容空間に電子制御板３とＬＥＤ４が収容されており、導線によって口金１が電子制御板３と接続されており、電子制御板３からの導線がＬＥＤ４に接続されており、本考案の電子制御板３は電源スイッチ６が加わって機能の切り替えを行う。
【００３２】
電源スイッチ６は連続の数回の開閉動作によって内部の電子制御板３の特殊機能を変化させることができ、仮に何も付加機能を付けない時は一般の電灯をつけるのと同様であり、仮に電子制御板３内の特殊機能を使用する時は連続の数回の素早い開閉動作によってタイマー機能、輝度制御、カラー変化機能等の特殊機能を起動させることができる。
【００３３】
図２は本考案の回路のブロック図であり、図３は本考案の回路図であり、交流電源の入力ａが電源回路３１にされた時、電源回路３１が交流電源を直流電源に変換ｂし、制御回路３２、ＬＥＤ回路３３、ＬＥＤ４に必要とする電源を供給する。
【００３４】
前記電子制御板３は信号探知と多機能制御ｃを行い、交流電源の入力ａは他に信号探知と多機能制御ｃにも入力され、電子制御板３に機能切り替え信号を提供し、前述の信号探知と多機能制御ｃはＬＥＤを制御してタイマー発光、異なる色の発光、ＬＥＤのきらめき、輝度の制御を行う。
【００３５】
前述の信号探知と多機能制御ｂは制御回路３２に電源スイッチ６が加わって構成されており、電源スイッチ６の連続の数回の素早い切り替えが行われた時、その信号は手動でデジタル信号を入力して制御回路３に内部に設けられいる特殊機能を切り替えさせたのと同様であり、前記電源スイッチ６は本実施例中の交流電源に限ったものではなく、仮に直流電源に応用する場合も電源スイッチ６は同様に信号入力と電源制御に適用させることができる。
【００３６】
上述の装置の組合せから、本考案のＬＥＤ電球は下記のような機能を有する。
【００３７】
１  タイマー機能
本考案の電子制御板３はタイマー機能を有しており、且つ前記電子制御板３はＬＥＤ４を制御し、故に電子制御板３に電源スイッチ６が加わって信号切り替えを行うことができ、電源スイッチ６を素早く数回切り替えることによって電子制御板３に一時間、二時間、或いは八時間等、予め設定した時間にタイマーをセットさせることができる。
【００３８】
２  輝度制御機能
本考案の電子制御板３は輝度制御機能を有しており、且つ前記電子制御板３はＬＥＤ４を制御し、現在のＬＥＤ４は一つでは輝度不足なので複数のＬＥＤ４を使用する必要があり、その輝度を制御したい時、その発光個数を制御することによって、輝度をを制御することができ、仮に一つのＬＥＤ４でも輝度が十分な場合は電子制御板３はＬＥＤ４の電流量を制御することによって、輝度を制御することができ、同様に電子制御板３に電源スイッチが加わって信号切り替えを行い、電源スイッチ６を素早く数回切り替えることによって電子制御板３にＬＥＤ４の発光個数を制御させることができる。
【００３９】
３  カラー変化機能
本考案の電子制御板３はカラー変化機能を有しており、且つ電子制御板３はＬＥＤ４を制御し、前記ＬＥＤ４は複数の異なる色のＬＥＤ４によって構成されており、同一の色を一組とし、多種の色を多数組構成することによって、各組を発光させ、混色を行うことで多種類の色を生成することができたり、異なる色の組のＬＥＤ４を順番に発光させることにより光をきらめかせることができ、同様に電子制御板３に電源スイッチが加わって信号切り替えを行い、電源スイッチ６を素早く数回切り替えることによって電子制御板３に各組のＬＥＤ４を発光させるか否かを制御させることができる。
【００４０】
以上は本考案の比較的好適な実施例を説明しただけのものであり、本考案の形式上の制限を行うものではなく、よって同様の考案主旨の下の本考案に関わる如何なる修飾、或いは変更も本考案の保護範疇に含まれる。
【図面の簡単な説明】
【００４１】
【図１】本考案の分解図である。
【図２】本考案の回路のブロック図である。
【図３】本考案の回路図である。
【図４】本考案の外形が球形である場合の様子を表す図である。
【図５】本考案の外形が螺旋形である場合の様子を表す図である。
【図６】本考案の外形が三つのＵ字形である場合の様子を表す図である。
【図７】本考案の使用配線図である。
【符号の説明】
【００４２】
１      口金
１１    電極
１２    ねじ部
２      カバー
２１    上方孔
２２    下方孔
３      電子制御板
３１    電源回路
３２    制御回路
３３    ＬＥＤ回路
４      ＬＥＤ
５      グローブ
５１    開口部
６      電源スイッチ
７      ソケット      
【図１】
0003108846.tif 000003
【図２】
0003108846.tif 000004
【図３】
0003108846.tif 000005
【図４】
0003108846.tif 000006
【図５】
0003108846.tif 000007
【図６】
0003108846.tif 000008
【図７】
0003108846.tif 000009